(57)【要約】【課題】ループコイルの耐久性を向上させることができるコンベヤベルトでの埋設深さを、多数のサンプルを用いて試験することなく設定できるループコイルの埋設深さの設定方法およびこのループコイルを埋設したコンベヤベルトの製造方法を提供する。【解決手段】実際のコンベヤベルト１の二次元または三次元のＦＥＭ解析モデル１Ａを作製して、この解析モデル１Ａでの上カバーゴム３の上方からこの上カバーゴム３に対して所定仕様の落下物Ｗを落下させた際に、この解析モデル１Ａでのループコイル５に生じる主応力または変形量の少なくとも一方に基づいて、実際のコンベヤベルト１でのループコイル６の適切な埋設深さ、即ち心体層２とループコイル５との間のゴム厚ｔを設定する。【選択図】図５
2018083693.tif 000002
【特許請求の範囲】
【請求項１】
ベルト長手方向に延在する複数本の金属コードがベルト幅方向に並列されて構成された心体層と、この心体層を挟んで上下にそれぞれ配置された上カバーゴムおよび下カバーゴムと、この下カバーゴムにベルト長手方向に間隔をあけて埋設された複数のループコイルとを備えたコンベヤベルトにおける前記ループコイルの埋設深さ位置の設定方法であって、
前記コンベヤベルトの二次元または三次元のＦＥＭ解析モデルを作製し、この解析モデルでの上カバーゴムの上方からこの上カバーゴムに対して所定仕様の落下物を落下させた際に前記解析モデルでのループコイルに生じる主応力または変形量の少なくとも一方に基づいて、前記コンベヤベルトのループコイルの埋設深さを設定することを特徴とするコンベヤベルトでのループコイルの埋設深さの設定方法。
【請求項２】
前記解析モデルを剛体の上に載置した条件下で前記落下物を落下させる請求項１に記載のコンベヤベルトでのループコイルの埋設深さの設定方法。
【請求項３】
前記主応力または変形量に対応する前記解析モデルでの金属コードのベルト幅方向への変位量を用いて前記ループコイルの埋設深さを設定する請求項１または２に記載のコンベヤベルトでのループコイルの埋設深さの設定方法。
【請求項４】
前記解析モデルとして、心体層とループコイルとの上下間の所定深さで下カバーゴムに保護層を埋設したモデルを用いる請求項１〜３のいずれかに記載のコンベヤベルトでのループコイルの埋設深さの設定方法。
【請求項５】
請求項１〜３のいずれかに記載のループコイルの埋設深さの設定方法により設定された埋設深さ位置に前記ループコイルを埋設した未加硫の前記コンベヤベルトの成形体を成形し、この成形体を加硫して前記コンベヤベルトを製造するベルトコンベヤの製造方法。
【請求項６】
請求項４に記載のループコイルの埋設深さの設定方法により設定された埋設深さ位置に前記ループコイルを埋設し、前記心体層と前記ループコイルとの上下間の所定深さで前記下カバーゴムに前記保護層を埋設した未加硫の前記コンベヤベルトの成形体を成形し、この成形体を加硫して前記コンベヤベルトを製造するベルトコンベヤの製造方法。
【発明の詳細な説明】
【技術分野】
【０００１】
本発明は、コンベヤベルトの縦裂きを検知するループコイルの耐久性を向上させることができるコンベヤベルトでのループコイルの埋設深さを、多数のサンプルを用いて試験することなく設定できるループコイルの埋設深さの設定方法およびこのループコイルを埋設したコンベヤベルトの製造方法に関するものである。
【背景技術】
【０００２】
コンベヤベルトの縦裂き（ベルト長手方向に連続する亀裂）を検知するため、ループコイルを埋設したコンベヤベルトが知られている（例えば特許文献１、２参照）。このコンベヤベルトでは、コンベヤベルトに隣接して配置されたセンサが、センサの近傍を通過するループコイルに生じている誘導電流を検知する。鋭利な搬送物等がコンベヤベルトに突き刺さって縦先きが発生した場合にはループコイルが損傷するため、ループコイルには誘導電流が生じなくなる。この場合、センサはループコイルが近傍を通過したにも拘らず誘導電流を検知しない。そのため、センサによる誘導電流の検知の有無によって、コンベヤベルトに縦裂きが発生しているか否かを判断することができる。センサの検知に基づいて縦裂きが発生していると判断した場合は、コンベヤベルトの稼働を停止させて縦裂きの拡大を防止する。
【０００３】
コンベヤベルトには、投入される搬送物等によって局部的な衝撃や外力が作用する。その衝撃や外力によってコンベヤベルトに縦裂きが発生していなくても、ループコイルが損傷することがある。このようにループコイルが損傷をした場合、センサは近傍をループコイルが通過しても誘導電流を検知することがない。そのため、センサの検知に基づいて判断すると、コンベヤベルトに縦裂きが発生していると誤認することになる。
【０００４】
本願の発明者による種々の分析、試験等の結果、下カバーゴムにおけるループコイルの埋設深さ位置と、ループコイルの損傷具合との間には、高い相関関係があることが判明した。しかしながら、下カバーゴムにおけるループコイルの埋設深さ位置を異ならせたサンプルを多数作製し、これらサンプルに対して衝撃を付与してループコイルの損傷具合を確認するとなれば、多大な工数（時間および費用）を要する。
【先行技術文献】
【特許文献】
【０００５】
【特許文献１】特開２０１４−３１２４１号公報
【特許文献２】特開２０１５−７１４９３号公報
【発明の概要】
【発明が解決しようとする課題】
【０００６】
本発明の目的は、コンベヤベルトの縦裂きを検知するループコイルの耐久性を向上させることができるコンベヤベルトでのループコイルの埋設深さを、多数のサンプルを用いて試験することなく設定できるループコイルの埋設深さの設定方法およびこのループコイルを埋設したコンベヤベルトの製造方法を提供する。
【課題を解決するための手段】
【０００７】
上記目的を達成するため本発明のコンベヤベルトでのループコイルの埋設深さの設定方法は、ベルト長手方向に延在する複数本の金属コードがベルト幅方向に並列されて構成された心体層と、この心体層を挟んで上下にそれぞれ配置された上カバーゴムおよび下カバーゴムと、この下カバーゴムにベルト長手方向に間隔をあけて埋設された複数のループコイルとを備えたコンベヤベルトにおける前記ループコイルの埋設深さ位置の設定方法であって、前記コンベヤベルトの二次元または三次元のＦＥＭ解析モデルを作製し、この解析モデルでの上カバーゴムの上方からこの上カバーゴムに対して所定仕様の落下物を落下させた際に前記解析モデルでのループコイルに生じる主応力または変形量の少なくとも一方に基づいて、前記コンベヤベルトのループコイルの埋設深さを設定することを特徴とする。
【０００８】
本発明のコンベヤベルトの製造方法は、上記のループコイルの埋設深さの設定方法により設定された埋設深さ位置に前記ループコイルを埋設した未加硫の前記コンベヤベルトの成形体を成形し、この成形体を加硫して前記コンベヤベルトを製造することを特徴とする。
【発明の効果】
【０００９】
本発明のループコイルの埋設深さの設定方法によれば、実際のコンベヤベルトの上カバーゴムの上方から上カバーゴムに向かって搬送物が投入されてループコイルに局部的に衝撃や外力が作用する際の状況を、実際のコンベヤベルトの二次元または三次元のＦＥＭ解析モデルを利用して再現することができる。この解析モデルでのループコイルに生じる主応力または変形量の少なくとも一方に基づいて、実際のコンベヤベルトにおいてループコイルに生じる主応力または変形量が小さくなる適切なループコイルの埋設位置を把握できる。そのため、多数のサンプルを用いて試験をしなくても、実際のコンベヤベルトにおいてループコイルの耐久性を向上させることができる適切な埋設深さを設定することができる。
【００１０】
また、本発明のコンベヤベルトの製造方法によれば、上記の設定方法によって設定された適切な埋設位置にループコイルが埋設されたコンベヤベルトを製造することができる。したがって、上カバーゴムに投入される搬送物による衝撃や外力に起因するループコイルの損傷を防止し易くなる。これに伴い、コンベヤベルトに縦裂きが発生していなくても、ループコイルが損傷しているという誤認を回避するには有利になる。
【図面の簡単な説明】
【００１１】
【図１】本発明の製造方法により製造されたコンベヤベルトを例示する横断面図である。
【図２】図１のコンベヤベルトの内部構造を平面視で例示する説明図である。
【図３】図１のコンベヤベルトが装着されたベルトコンベヤ装置を側面視で例示する説明図である。
【図４】図３のＡ−Ａ断面図である。
【図５】本発明のループコイルの埋設深さの設定方法に用いるコンベヤベルトの解析モデルを横断面視で例示する説明図である。
【図６】図５の解析モデルが上カバーゴム側から衝撃を受けた状態を模式的に例示する説明図である。
【図７】図６の解析モデルを上カバーゴム側から見た平面視で模式的に例示する説明図である。
【図８】別の解析モデルを例示する横断面図である。
【図９】図８の解析モデルの内部構造を平面視で例示する説明図である。
【図１０】図８の解析モデルが上カバーゴム側から衝撃を受けた状態を模式的に横断面視で例示する説明図である。
【図１１】図１０の解析モデルを上カバーゴム側から見た平面視で模式的に例示する説明図である。
【図１２】成形体を加硫している状態を横断面視で例示する説明図である。
【発明を実施するための形態】
【００１２】
以下、本発明のコンベヤベルトでのループコイルの埋設深さの設定方法（以下、設定方法という）およびコンベヤベルトの製造方法を図に示した実施形態に基づいて説明する。
【００１３】
図１、図２に例示する本発明のコンベヤベルトの製造方法により製造されたコンベヤベルト１は、心体層２と、心体層２を上下に挟んで配置される上カバーゴム３と下カバーゴム４とを備えていて、これらが加硫工程を経て一体化している。コンベヤベルト１は、その他、ベルト幅方向両端部に配置される耳ゴム等、他の構成要素が適宜追加されて構成される。
【００１４】
心体層２は、ベルト長手方向に延在する多数本の金属コード２ａ（例えばスチールコード）がベルト幅方向に並列して構成されている。詳述すると、心体層２はクッションゴムにより被覆されていて、このクッションゴムと上カバーゴム３および下カバーゴム４とが加硫接着により接合されている。尚、図２ではコンベヤベルト１の内部構造を理解し易くするため、金属コード２ａをその中心位置で一点鎖線によって示している。
【００１５】
上カバーゴム３、下カバーゴム４としては、例えば、少なくとも天然ゴムを含むジエン系ゴムからなり、カーボンブラックなどによって耐摩耗性を良好にしたゴム組成物が用いられる。上カバーゴム３および下カバーゴム４の層厚は、コンベヤベルト１に要求される性能によって適宜決定されるが例えば５ｍｍ〜３０ｍｍの範囲で決定される。クッションゴムは接着性に優れるゴムである。
【００１６】
下カバーゴム４にはベルト長手方向に間隔をあけて複数のループコイル５が埋設されている。ループコイル５は、例えば導電線５ａが環状に形成されたものであり、公知のものを用いることができる。この導電線５ａは波状に癖付けされていても癖付けされていない仕様でもよい。ループコイル５は二重の四角形状に限らず、円形状、楕円形状など様々な形状を採用することもできる。ループコイル５の埋設平面位置はベルト幅方向中央部を含む領域になる。
【００１７】
図３に例示するベルトコンベヤ装置７は、コンベヤベルト１と、磁界発生部１０と、センサ１１とを備えている。コンベヤベルト１はプーリ８、８の間に張設されて、搬送物Ｃはシュート部１３を通じて上カバーゴム３に投入される。図４に例示するようにコンベヤベルト１はキャリア側では、支持ローラ９によって下方に突出するトラフ状に保持されるので、投入された搬送物Ｃは主にベルト幅方向中央部に載置される。
【００１８】
磁界発生部１０は下カバーゴム４に隣接配置される。磁界発生部１０の近傍を通過するそれぞれのループコイル５に対して、磁界発生部１０は例えば電磁波を発信する。この電磁波によってそれぞれのループコイル５には誘電電流が誘起される。ループコイル５が断線していると誘導電流は誘起されない。
【００１９】
センサ１１は下カバーゴム４に隣接配置される。センサ１１は磁界発生部１０に対してコンベヤベルト１の進行方向の若干下流側に配置される。センサ１１の近傍を通過するそれぞれのループコイル５に対して、センサ１１は誘導電流が発生しているか否か検知する。センサ１１による検知データは制御部１２に送信される。制御部１２は、センサ１１による検知データに基づいて、誘導電流が発生していればコンベヤベルト１に縦裂きが生じてないと判断し、誘導電流が発生していなければコンベヤベルト１に縦裂きが生じていると判断する。コンベヤベルト１に縦裂きが生じていると判断した場合は、コンベヤベルト１の稼働を停止し、警告等を発する。
【００２０】
コンベヤベルト１には、上カバーゴム３に投入される搬送物Ｃによって衝撃や外力が作用し、これらに起因してループコイル５が損傷することがある。そこで、本発明の設定方法では、これらが作用してもループコイル５が損傷し難い適切な埋設位置を設定する。具体的には、図１に示す心体層２とループコイル５との適切な上下間隔（ゴム厚ｔ）を設定する。
【００２１】
図５に例示するように、本発明の設定方法では実際のコンベヤベルト１の二次元または三次元のＦＥＭ解析モデル１Ａを用いる。この解析モデル１Ａは、実際のコンベヤベルト１と同じ構成要素を備えている。図面では解析モデル１Ａのそれぞれの構成要素には、実際のコンベヤベルト１の構成要素と同じ符号を付している。解析モデル１Ａでは、それぞれの構成要素についてＦＥＭ解析に必要な材料物性値（ヤング率、ポアソン比等）が設定されていて、解析を行う演算装置に入力されている。
【００２２】
作製した解析モデル１Ａでは、上カバーゴム３の上方からこの上カバーゴム３に対して所定仕様の落下物Ｗを落下させた際にループコイル５に生じる主応力または変形量の少なくとも一方、或いは、主応力または変形量の少なくとも一方に対応する変化量を演算装置により算出する。例えば、ループコイル５に生じる鉛直方向の応力や変形量をＦＥＭ解析により算出する。落下物Ｗの仕様や落下高さは、実際のコンベヤベルト１の使用条件（搬送物Ｃの形状や重さ）等に基づいて適宜決定される。
【００２３】
この実施形態では、解析モデル１Ａを、鋼板などの平坦な剛体１４に水平に載置した条件にしている。解析モデル１Ａを、実際のベルトコンベヤ装置７のように支持ローラ９によってベルト長手方向に間隔をあけて支持した条件にすることもできるが、解析モデル１Ａの全体を剛体１４に載置した条件にすることで、ループコイル５に対しては損傷し易い厳しい条件になるので、より適切な埋設深さ位置を設定できる。
【００２４】
解析モデル１Ａにおいて、図６に例示するように落下物Ｗを自由落下させると、落下物Ｗの落下点に対応する範囲では、上カバーゴム３およびループコイル５が局部的に下方に歪んで変形し、金属コード２ａはベルト幅方向に変位する。この時のループコイル５に生じる最大応力や最大変形量を算出する。この解析を、ループコイル５の埋設深さ位置（ゴム厚ｔ）を変えて行う。これにより、それぞれの埋設深さ位置と、最大応力や最大変形量との関係を把握して、最大応力または最大変形量が最小になる範囲を把握し、この範囲を実際のコンベヤベルト１でのループコイル５の適切な埋設深さ位置に設定する。
【００２５】
図６、７に例示するように解析モデル１Ａに衝撃や外力が作用した際には、並列している金属コード２ａどうしは、互いのすき間に介在するクッションゴムによって接合されているが、クッションゴムは弾性変形する。それ故、金属コード２ａのベルト幅方向への変位を拘束する力が弱いので、局所的に金属コード２ａがベルト幅方向に変位して、金属コード２ａどうしのベルト幅方向間隔が広くなる。この金属コード２ａのベルト幅方向に対する変位量は、ループコイル５に生じる最大応力や最大変形量と相関する。そこで、この両者（金属コード２ａのベルト幅方向に対する変位量と、ループコイル５に生じる最大応力や最大変形量と）の相関関係データを蓄積することにより、金属コード２ａのベルト幅方向に対する変位量に基づいて、ループコイル５の適切な埋設深さ位置を設定することもできる。即ち、本発明では、このようにループコイル５に生じる主応力または変形量の少なくとも一方に対応する変化量として、金属コード２ａのベルト幅方向に対する変位量を用いてループコイル５の適切な埋設深さ位置を設定してもよい。
【００２６】
このように本発明の設定方法では、多数のサンプルを製造して試験をしなくても、実際のコンベヤベルト１においてループコイル５の耐久性を向上させることができる適切な埋設深さを設定することが可能になる。コンベヤベルト１の開発段階において、コンベヤベルト１の仕様（ゴムの種種、金属コードの種類など）に応じてループコイル５の適切な埋設深さ位置を把握できるので、非常に有益である。
【００２７】
解析モデル１Ａは、三次元でも二次元でもよいが、二次元にすることによりモデル作製に要する時間を大幅に削減できる。金属コード２ａのベルト幅方向に対する変位量とループコイル５に生じる最大応力や最大変形量との相関関係を十分に把握できれば、二次元の解析モデル１によって、ループコイル５の適切な埋設深さ位置を精度よく設定することが可能になる。
【００２８】
図８、９に例示する別の解析モデル１Ｂを用いることもできる。この解析モデル１Ｂは、上述した解析モデル１Ａに対して、心体層２とループコイル５との上下間の所定深さで下カバーゴム４に保護層６が埋設されている。即ち、保護層６はベルト長手方向に間隔をあけて下カバーゴム４に埋設されている。保護層６は、コンベヤベルト１に使用されているゴムよりも、同じ条件下で伸びが小さい（モジュラスが大きい）仕様である。実際のコンベヤベルト１では、例えば厚さが０．２〜３．０ｍｍの保護層６が使用される。
【００２９】
保護層６は、上カバーゴム３側から見た平面視で、その保護層６が対応するループコイル５（その保護層６に最も近接配置されているループコイル５）の全範囲を覆って配置されている。尚、図９では解析モデル１Ｂの内部構造を理解し易くするため、金属コード２ａをその中心位置で一点鎖線によって示し、保護層６に対応する範囲では図示を省略している。また、図９では下段の保護層６を一部切り欠いて示している。
【００３０】
実際のコンベヤベルト１では、保護層６は、天然繊維、樹脂、金属等の様々な材質により形成することができる。保護層６の構造は、織構造やフィルム状など様々な構造を採用することができる。織構造としては、平織構造、すだれ織構造、綾織構造、朱子織構造などを例示できる。
【００３１】
この解析モデル１Ｂでは、保護層６は複数の線材６ａにより形成されている。線材６ａとしては、天然繊維、樹脂繊維や金属繊維など所望の線材６ａを用いることができる。この保護層６は、平織構造なので、ベルト幅方向に延在する複数本の線材６ａがベルト長手方向に並列されている。そのため、ベルト幅方向に延在する線材６ａが、ベルト幅方向に並列している金属コード２ａと交差した状態になっている。
【００３２】
図１０に例示するように落下物Ｗを自由落下させると、落下物Ｗの落下点に対応する範囲では、上カバーゴム３およびループコイル５が局部的に多少下方に歪んで変形するが金属コード２ａはベルト幅方向にはほとんど変位しない。この時のループコイル５に生じる最大応力や最大変形量を算出する。この解析を、ループコイル５の埋設深さ位置（ゴム厚ｔ）を変えて行う。これにより、それぞれの埋設深さ位置と、最大応力や最大変形量との関係を把握して、最大応力または最大変形量が最小になる範囲を把握し、この範囲を実際のコンベヤベルト１でのループコイル５の適切な埋設深さ位置に設定する。
【００３３】
この解析モデル１Ｂでは、保護層６が並列している金属コード２ａどうしを覆う状態で配置されているので、保護層６がベルト幅方向に隣り合う金属コード２ａどうしを束ねて拘束する機能を発揮している。そのため、図１０、１１に例示するように解析モデル１Ｂに衝撃や外力が作用した際には、先の解析モデル１Ａに比して、金属コード２ａのベルト幅方向へ変位が抑制される。
【００３４】
この解析モデル１Ｂにおいても、先の解析モデル１Ａに適用した種々の条件、改良を行うことができる。
【００３５】
本発明のコンベヤベルトの製造方法では、図１２に例示するように、上記の解析モデル１Ａを用いて設定した適切な埋設深さ位置にループコイル５を埋設した未加硫のコンベヤベルトの成形体１Ｃを成形する。次いで、この成形体１Ｃをモールド１５、１５の中に配置して加硫することにより、コンベヤベルト１を製造する。
【００３６】
本発明の別のコンベヤベルトの製造方法では、上記の解析モデル１Ｂを用いて設定した適切な埋設位置にループコイル５を埋設し、心体層２とループコイル５との上下間の所定深さで下カバーゴム４に保護層６を埋設した未加硫のコンベヤベルトの成形体１Ｃを成形する。次いで、この成形体１Ｃをモールド１５、１５の中に配置して加硫することにより、コンベヤベルト１を製造する。
【００３７】
このようにして製造されたコンベヤベルト１は、解析モデル１Ａ、１Ｂを用いて設定された適切な埋設位置にループコイル５が埋設されている。そのため、上カバーゴム３に投入される搬送物Ｃによる衝撃や外力に起因するループコイル５の損傷を防止し易くなる。これに伴い、コンベヤベルト１に縦裂きが発生していなくても、ループコイル５が損傷しているという誤認を回避するには有利になる。
【００３８】
特に、実際のコンベヤベルト１において、上記の解析モデル１Ｂのように保護層６を設けた仕様にすると、搬送物Ｃ等によって局部的な衝撃や外力が作用しても金属コード２ａのベルト幅方向への変位が抑制される。これに伴い、作用する衝撃や外力が広く金属コード２ａに分散する。また、保護層６によっても衝撃や外力が吸収、緩和される。そのため、コンベヤベルト１に局部的に大きな衝撃や外力が作用してもループコイル５が損傷し難くなり、耐久性が一段と向上する。それ故、コンベヤベルト１に縦裂きが発生していなくてもループコイル５が損傷するという事態を回避するには益々有利になり、コンベヤベルト１の縦裂きの発生の検知をより精度よく行うことが可能になる。
【００３９】
加えて、それぞれの保護層６は、下カバーゴム４にベルト長手方向に間隔をあけて埋設されているので、保護層６を設けたことによるコンベヤベルト１の重量増加を抑制することができ、屈曲性の悪化も回避できる。これらことは、コンベヤベルト１の稼働に要するエネルギを削減することに大きく影響するため省エネルギ化にも寄与する。
【００４０】
尚、保護層６を下カバーゴム４にベルト長手方向に間隔をあけて埋設した仕様にするには、コンベヤベルト１の成形工程において、それぞれのループコイル５と一緒にそれぞれの保護層６を下カバーゴム４に配置すればよい。そのため、この仕様で製造する際の工数は、保護層６を埋設しない仕様の場合に対してほとんど増加しないで済む。
【実施例】
【００４１】
図５に例示した解析モデル１Ａを用いて、一般的なコンベヤベルトについて適切なループコイル５の埋設深さ位置を算出すると、ループコイル５を心体層２の下面から下カバーゴム４のゴム厚Ｔの３０％〜８０％の位置（ゴム厚ｔ＝Ｔの３０％〜８０％）、より好ましくは５０％〜６０％の位置になることが分かった。また、心体層２とループコイル５との上下間隔（ゴム厚ｔ）は５ｍｍ以上にするとよいことが分かった。
【００４２】
また、解析モデル１Ｂを用いて、上記の解析モデル１Ａと同じ条件下で適切なループコイル５の埋設深さ位置を算出すると、上記の解析モデル１Ａと概ね同じであった。この時、保護層は、ナイロン繊維からなる平織構造に設定した。ただし、解析モデル１Ｂでは、ループコイル５生じる主応力および変形量が解析モデル１Ａでの６０％程度になることが分かった。
【符号の説明】
【００４３】
１  コンベヤベルト
１Ａ、１Ｂ  解析モデル
１Ｃ  成形体
２  心体層
２ａ  金属コード
３  上カバーゴム
４  下カバーゴム
５  ループコイル
５ａ  導電線
６  保護層
６ａ  線材
７  ベルトコンベヤ装置
８  プーリ
９  支持ローラ
１０  磁界発生部
１１  センサ
１２  制御部
１３  シュート部
１４  剛体
１５  モールド
Ｃ  搬送物
Ｗ  落下物
【図１】
2018083693.tif 000003
【図２】
2018083693.tif 000004
【図３】
2018083693.tif 000005
【図４】
2018083693.tif 000006
【図５】
2018083693.tif 000007
【図６】
2018083693.tif 000008
【図７】
2018083693.tif 000009
【図８】
2018083693.tif 000010
【図９】
2018083693.tif 000011
【図１０】
2018083693.tif 000012
【図１１】
2018083693.tif 000013
【図１２】
2018083693.tif 000014